(57)【要約】【課題】本発明は、ラギダイズケース内に収めた電子機器のシールド性が高められる電子機器のラギダイズ構造を提供する。【解決手段】本発明のラギダイズ構造は、内部に電子機器１を収める電磁シールドする電子機器用シールドケース１０と、電子機器用シールドケース１０を電子機器1と共に収容するラギダイズケース２０と、ラギダイズケース２０内に設けられ、電子機器用シールドケース１０を周囲から覆い電磁シールドする補助シールドケース３０と、補助シールドケース３０およびラギダイズケース２０に設けられ、ギダイズケース外と電子機器用シールドケース内の電子機器１から延びる配線４，５，６とを中継する中継端子部３６とを備えた構造を採用した。これにより、ラギダイズケース外への電磁波や磁界の洩れが抑制される。【選択図】      図２
2006339313.tif 000002
【特許請求の範囲】
【請求項１】
電子機器とつながる配線を外部へ導出させながら、当該電子機器を内部に収める電子機器用シールドケースと、
前記電子機器用シールドケースを前記電子機器と共に収容するラギダイズケースと、
前記ラギダイズケース内に設けられ、前記電子機器用シールドケースを周囲から覆い電磁シールドする補助シールドケースと、
前記補助シールドケースおよび前記ラギダイズケースに設けられ、前記ラギダイズケース外と前記電子機器用シールドケース内からの前記配線とを中継する中継端子部と
を具備したことを特徴とする電子機器のラギダイズ構造
【請求項２】
前記電子機器用シールドケース、前記ラギダイズケースおよび前記補助シールドケースは、いずれも上下方向で二分割された分割式ケースで構成され、
前記分割されたラギダイズケースの上ケースに、前記分割された補助シールドケースの上シールドケースと前記分割された電子機器用シールドケースの上シールドケースとが組み付けられ、
前記分割されたラギダイズケースの下ケースに、前記分割された補助シールドケースの下シールドケースと前記分割された電子機器用シールドケースの下シールドケースとが組み付けられる
ことを特徴とする請求項１に記載のラギダイズ構造。
【請求項３】
前記補助シールドケースは、前記ラギダイズケースの内面と重なるように組み付けられた導電性のプレート部材で形成され、
前記中継端子部は、重なり合う前記導電性のプレート部材と前記ラギダイズケースとを貫通するように設けられる
ことを特徴とする請求項１または請求項２に記載の電子機器のラギダイズ構造。
【発明の詳細な説明】
【技術分野】
【０００１】
本発明は、電子機器を屋外の環境に耐えるようにする電子機器のラギダイズ構造に関する。
【背景技術】
【０００２】
ノート型のパーソナルコンピュータなどといった電子機器は、主に屋内あるいは通常で使用する環境条件で設計された機器である。このような仕様の機器は、そのまま、衝撃などが加わりやすい野外環境では使用できない。
【０００３】
そこで、耐環境性を強化するために、ノート型パーソナルコンピュータでは、高強度を有するラギダイズケース（筐体）に、屋内の環境条件で設計されたパーソナルコンピュータを、そのまま、格納（収容）させることが行なわれている（特許文献１を参照）。
【特許文献１】特開２００２−２８０７５３号公報
【発明の開示】
【発明が解決しようとする課題】
【０００４】
電子機器は、発生する電磁波が他機器などに影響を与えないことが求められる。
【０００５】
この措置として、ノート型パーソナルコンピュータは、ＰＣ用シールドケースに収めて、同パーソナルコンピュータの周囲をシールドしてから、ラギダイズケースに収容することが考えられる。
【０００６】
ところで、ラギダイズケース内に収められたパーソナルコンピュータは、主にラギダイズケース内に収められたまま、ラギダイズケース外の各種機器と接続して使用される。
【０００７】
ところが、ＰＣ用シールドケースは、パーソナルコンピュータを収めたまま使用されるために、一部に切り欠かれた部分をもつケースを使用して、この切り欠いた部分から、ノート型パーソナルコンピュータとつながる各種配線（各種の信号ケーブルや電源ケーブルなど）をＰＣ用シールドケース外へ導出させることが余儀なくされる。
【０００８】
このため、パーソナルコンピュータから発生する一部の磁界が、切り欠いた空間部分から洩れ、この磁界がラギダイズケースを突き通して、外部へ洩れるおそれがあった。
【０００９】
そこで、本発明の目的は、ラギダイズケース内に収めた電子機器のシールド性が格段に高められる電子機器のラギダイズ構造を提供する。
【課題を解決するための手段】
【００１０】
本発明は、上記目的を達成するために、電子機器とつながる配線を外部へ導出させながら、当該電子機器を内部に収める電子機器用シールドケースと、電子機器用シールドケースを電子機器と共に収容するラギダイズケースと、ラギダイズケース内に設けられ、電子機器用シールドケースを周囲から覆い電磁シールドする補助シールドケースと、補助シールドケースおよびラギダイズケースに設けられ、ラギダイズケース外と電子機器用シールドケースからの配線とを中継する中継端子部とを備えた構造を採用した。
【発明の効果】
【００１１】
本発明によれば、ラギダイズケースに電子機器を収めて使用したとき、同電子機器から、電子機器用シールドケース外へ洩れる磁界が有っても、同ケース外側の補助シールドケースにより、ラギダイズケース外へ洩れるのがシールドされる。
【００１２】
それ故、ラギダイズケースにより、電子機器の耐環境性を強化するだけでなく、該電子機器のシールド性を格段に高めることができる。特にケース構造には、上下に分割したラギダイズケースの下ケース、上ケースに、上下に分割した補助シールドケース、上下に分割した電子機器用シールドケースをそれぞれ組み付ける構造を用いると、電子機器や各部の取り扱いが容易となる。
【００１３】
しかも、補助シールドケースが、ラギダイズケースの内面と重なる導電性のプレート部材で形成し、同重なり合うプレート部材とラギダイズケースとに中継端子部を取付ける構造を用いると、中継構造は簡単ですむ。
【発明を実施するための最良の形態】
【００１４】
［一実施形態］
以下、本発明を図１〜図６に示す一実施形態にもとづいて説明する。
【００１５】
図１は、電子機器、例えばノート型パーソナルコンピュータ（以下、ノート型ＰＣという）のラギダイズ構造の概観を示し、図２〜図４は同構造の各種分解図を示し、図５は同構造の側断面図（図２中のＡ−Ａ線）を示し、図６は同構造の平断面図（図２中のＢ−Ｂ線）を示している。
【００１６】
図１〜図３中１はノート型ＰＣ、１０はＰＣシールドケース（本願の電子機器用シールドケースに相当）、２０はラギダイズケース、３０はインナシールドケース（本願の補助シールドケースに相当）をそれぞれ示す。
【００１７】
まず、ノート型ＰＣ１を説明すると、同ノート型ＰＣ１は、主に屋内で使用される環境条件に合わせて設計された電子機器である。このノート型ＰＣ１は、例えば図３に示されようにキーボード（図示しない）を備える偏平形の本体２と、同本体２にヒンジ（図示しない）を介して折り畳み可能に支持されたディスプレイ部３とを有してなる。本体２の内部には、各種回路を搭載した回路基板やバッテリ（いずれも図示しない）が収められている。本体２の側部や背面には、カードスロットや各種入出端子（いずれも図示しない）が設けられている。カードスロット（本体２の側部）には、例えば種々の機能のカード４が着脱可能に装着してある。そして、入出力端子（本体２の背面）には、例えばＰＣケーブル５が着脱可能に接続してあり、カード４，５から延びるケーブル４ａやＰＣケーブル５（本願の配線に相当）を通じて、情報のやり取りが行なえるようにしてある。なお、本体２の側部には電源コード６（本願の配線に相当）も着脱可能に接続してある。
【００１８】
ラギダイズケース２０は、図２および図５に示されるようなノート型ＰＣ１より、大きな外形、例えば箱形の金属筐体（例えばアルミ部材からなる）から構成される。金属筐体は、上下方向で下側と上側とに二分割された分割式ケースから構成される。具体的には金属筐体には、上部が開放した箱形の下ケース２１と、同下ケース２１の開放端と重なって該下ケース２１の開放部２１ａを塞ぐ盤状の上ケース２２と、これら双方をロック・アンロックする締結具２４とを有した上下開閉式のケース構造が用いられる。このラギダイズケース２０は、高い剛性強度、高い密封性などを有していて、同ケース２０の内部にノート型ＰＣ１（そのまま）を収容すると、ラギダイズケース２０の各種機能により、ノート型ＰＣ１に、該ＰＣ１には無い、野外の使用に耐える耐環境性を与える。
【００１９】
インナシールドケース３０にも、図２および図５に示されるように上下方向で下側と上側とに二分割された分割式ケースが用いられている。このインナシールドケース３０は、導電性材料（例えばパーマロイ）のプレート部材３１を用い、同プレート部材３１をラギダイズケース２０の内面形状にならう箱形に成形して構成されている。具体的には、プレート部材３１は、図４および図５に示されるように上側が開放した箱形の下シールドケース３２と、図２および図５に示されるような該下シールドケース３２の開放端を塞ぐ、プレート形の上シールドケース３３とから構成される。下シールドケース３２は、下ケース２１の底面や四方の壁の内面にならって取着される。上シールドケース３３は、下面全体（縁部を除く）に取着されている。下シールドケース３２の開放端と上シールドケース３３の下面とは、上ケース２２で下ケース２１の開放部２１ａを塞ぐと、両者が、防水導電性のガスケット３４（例えば下シールドケース３２に取着）でシールされるようになっている。つまり、インナシールドケース３０は、ラギダイズケース２０の開閉動作にならって一緒に開閉される構造にしてある。
【００２０】
ＰＣシールドケース１０にも図２、図３および図５に示されるように上下方向で下側と上側とに二分割された分割式ケースが用いられている。分割されたＰＣシールドケース１０は、ノート型ＰＣ１の外形にならう箱形ケースが用いられている。具体的には、ＰＣシールドケース１０は、例えば図３〜図５に示されるように下シールドケース３２の底面に取着された、上側が開放した偏平箱形の下シールドケース１２と、同ケース１２に対応して上シールドケース３３の下面に取着された、下側が開放した偏平箱形の上シールドケース１３とから構成されている。これらシールドケース１２，１３は、下シールドケース３２の一つの角部寄り、例えば右・前側の角部側へ寄せて配置してあり、インナシールドケース３０内の後と左とに、ケーブル類や端子類を挿通したり配置したりするスペースを作り出している。下シールドケース１３の左側の壁部や後側の壁部には、切欠き部で形成される配線導出用の凹部１４が形成されている。なお、１５は、他の用途で、下シールドケース１３の右側の壁部や前側の壁部に切り欠かれた凹部を示す。
【００２１】
下シールドケース１２の底面の４つのコーナーには、図３および図５に示されるように防振ゴム、例えばノート型ＰＣ１のコーナー受けに適したブロック形の緩衝ゴム部材１６がそれぞれ取着されている。上シールドケース１３の下面には、防振ゴム、例えばプレート形に成形された緩衝ゴム部材１７が複数、ここでは４つ取着されている。下シールドケース１２と上シールドケース１３とは、上ケース２２で、下ケース２１の開放部２１ａを塞ぐと、両シールドケース１２，１３の開放端が、導電性のガスケット１８を挟んでシールされる構造となっている。これにより、図３に示されるようにノート型ＰＣ１（折り畳んだ状態）は、緩衝ゴム部材１６にならい下シールドケース１２にセットしてから、ラギダイズケース２０の上ケース２２で下ケース２１の開放部２１ａを塞ぐと、防振ゴム部材１６，１７で衝撃力から保護しながら、ノート型ＰＣ１の周りが、下シールドケース１２および上シールドケース１３で覆われる構造となっている。
【００２２】
つまり、ノート型ＰＣ１（折り畳んだ状態）は、ケーブル４ａ、ＰＣケーブル５、電源コード６（本願の配線に相当）を凹部１４からケース外へ導出させながら、下シールドケース１２にセットしてから、上ケース２２（ラギダイズケース２０）で下ケース２１（ラギダイズケース２０）の開放部２１ａを塞ぐ作業を行なうだけで、図５および図６に示されるようにノート型ＰＣ１は、ＰＣシールドケース１０内に収められて電磁シールドされるとともに、ＰＣシールドケース１０の周囲がインナシールドケース３０で覆われながら（電磁シールド、重シールド造）、ラギダイズケース２０内に収容される。
【００２３】
一方、図２および図６に示されるようにインナシールドケース３０の一部、例えば下ケース２１の後壁２１ｃとこれと重なり合う下シールドケース３２の後壁３２ｃとには、図２に示されるように両者を貫通させて各種の端子具３６（本願の中継端子に相当）が取付けられている。例えば端子具３６は３つ設けられている。これら端子具３６ａ〜３６ｃ（３６ｃは図６にだけ図示）は、いずれもシールド機能をもつ。これら端子具３６ａ〜３６ｃは、いずれも重なり合う後壁２１ｃ、３２ｃを貫通して取り付けられていて、一方の接続口部（図示しない）が下シールドケース３２内に臨み、他方の接続口部（図示しない）がラギダイズケース２０外に臨んでいる。これら端子具３６ａ〜３６ｃの内側（下シールドケース３２側）の接続口部には、ノート型ＰＣ１につながる各種配線が接続される。例えば端子具３６ａ，３６ｂの内側の接続口部には、ケーブル４ａ、ＰＣケーブル５などが着脱可能に接続され、残る端子具３６ｃの内側の接続口部には、図６に示されるように下シールドケース３２に設置した変圧装置３７を介して、電源コード６が接続される。また端子具３６ａ〜３６ｃの外側（ラギダイズケース２０外）の接続口部には、ケーブル４ａ、ＰＣケーブル５、電源コード６と組み付く各種の配線、例えば外部の他の操作部やディスプレイ部や他のパーソナルコンピュータ（いずれも図示しない）などとつながる外部配線、例えば信号コード３８，３９や電源ケーブル４０が着脱可能に接続されるようになっている。つまり、ラギダイズケース２０は、端子具３６を介して、外部機器と、ＰＣシールドケース１０内のノート型ＰＣ１とが中継される構造にしてある。
【００２４】
なお、下シールドケース１２には、同ケース１２にセットしたノート型ＰＣ１を動かないように保持するための、一対のバンド部材１９（例えばファスナ式）が設けてある（図２〜図４に図示）。
【００２５】
こうした重シールド構造により、野外の使用に耐える耐環境性をもたらす以外に、高い電磁遮蔽性をもたらしている。
【００２６】
すなわち同遮蔽性について説明すると、今、ノート型ＰＣ１を屋外の環境に耐える仕様とするべく、該ノート型ＰＣ１をラギダイズケース２０に収めるときは、まず、例えば図３に示されるようにノート型ＰＣ１の本体１に、必要な配線類を接続しておく。ここでは、例えば端子具３６ａ〜３６ｃには、あらかじめケーブル４ａ、ＰＣケーブル５、電源コード６が接続されていて、これら端子具３６ａ〜３６ｃから延びている配線類（ケーブル４ａ、ＰＣケーブル５、電源コード６）を本体１の各部に接続する。この状態から、図２に示されるように折り畳んだノート型ＰＣ１の本体２をラギダイズケース２０の下ケース２１に有る下シールドケース１２（ＰＣシールドケース１０）に嵌め込む。この際、ケーブル４ａ，ＰＣケーブル５，電源コード６は、凹部１４から、下シールドケース１２外へ導出させておく。
【００２７】
一対のバンド部材１９で、図２に示されるように下シールドケース１２内のノート型ＰＣ１を保持させたならば、ラギダイズケース２０の上ケース２２で、下ケース２１の開放部２１ａを塞ぐ。すると、上ケース２２に取着されている上シールケース１３（ＰＣシールドケース１０）は、図５に示されるように導電性のガスケット１８と挟んで、下ケース２１に組付いている下シールケース１２の開放端に組み付き、同開放端を密閉し、ノート型ＰＣ１の周りにＰＣシールドケース１０を形成する。これにより、ノート型ＰＣ１の周りは、ＰＣシールドケース１０で覆われる。
【００２８】
またインナシールドケース３０の上シールドケース３３も、ＰＣシールドケース１０と同様、上ケース２２で下ケース２１を塞ぐとき、図５に示されるように導電性のガスケット１８を挟んで、下ケース２１に組み付いている下シールドケース３２の開放端と組み付いて、同開放端を密閉し、先のＰＣシールドケース１０の周りにインナシールドケース３０を形成する。これにより、ノート型ＰＣ１を収めているＰＣシールドケース１０の周りは、さらにインナシールドケース３０で覆われる。
【００２９】
この後、下ケース２１と上ケース２２とを締結具２４で締結すると、図１に示されるようにノート型ＰＣ１は、ラギダイズケース２０に収容された状態が完成され、野外の使用に耐える機能が与えられる。
【００３０】
このノート型ＰＣ１を収容したまま、ラギダイズケース２０を、例えば過酷な使用場所に持ち込み、同場所において、ラギダイズケース２０の各端子具３６ａ〜３６ｃに、信号コード３８，３９や電源ケーブル４０を介して、野外用の操作具（図示しない）や制御機器（図示しない）や電源装置（図示しない）などを接続すると、ノート型ＰＣ１をサーバーとして用いた仕事や作業が行なえる。
【００３１】
このようにラギダイズケース２０内にノート型ＰＣ１を格納したまま、ノート型ＰＣ１を作動させると、内部の回路や機器から磁界や電磁波などが発生する。このとき、ＰＣシールドケース１０は、配線導出用の凹部１４など配線を通すための貫通部分の形成が余儀なくされるため、ノート型ＰＣ１からの磁界や電磁波などは、ＰＣシールドケース１０外へ洩れる。特に磁界は、その周囲に例えばアルミ部材が有っても、それを突き通して、外部へ洩れようとする。
【００３２】
ここで、図５および図６に示されるようにＰＣシールドケース１０は、その周囲が電界や電磁波などを遮蔽するインナシールドケース３０（本願の補助シールドケースに相当）で覆われているうえ、シールド機能が付いた端子具３６（本願の中継端子部に相当）を通じてしか、内部のノート型ＰＣ１とケース外の機器とが中継できない。このため、インナシールドケース３０によって、ノート型ＰＣ１の磁界や電磁波が、ラギダイズケース２０の外部へ洩れるのが遮断される（シールド）。むろん、インナシールドケース３０により、外部からラギダイズケース２０の内側へ向う電磁波も遮断される。
【００３３】
したがって、ラギダイズケース２０に収めたノート型ＰＣ１など主に屋内で使用される電子機器は、耐環境性が強化されるだけでなく、同電子機器のシールド性を格段に向上させることができる。
【００３４】
特に上下に分割したラギダイズケース２０の下ケース２１に、上下に分割したインナシールドケース３０の下シールドケース３２と、上下に分割したＰＣシールドケース１０の下シールドケース１２とを組み付け、残るラギダイズケース２０の上ケース２２に、インナシールドケース３０の上シールドケース３３と、ＰＣシールドケース１０の上シールドケース１３とを組み付ける構造にすると、上ケース２２で下ケース２１を開閉操作するだけで、残る他のＰＣシールドケース１０、インナシールドケース３０もそれにならって開閉されるので、取り扱いは簡便となる。
【００３５】
しかも、中継構造は、導電性のプレート部材３１で形成したインナシールドケース３０をラギダイズケース２０の内面に重なり合わせ、同重なり合うインナシールドケース３０の壁（後壁３２ｃ）とラギダイズケース２０の壁（後壁２１ｃ）とを貫通させて、端子具３６を取り付けるだけの構造ですむから、簡単である。
【００３６】
なお、ノート型ＰＣ１は、先に述べたようにラギダイズケース２０に密閉収容させたまま、サーバーとして使用するに限らず、例えば図２中の二点鎖線で示されるようにラギダイズケース２０の下ケース２２に置いたままの状態から、ディスプレイ部３を起こして使用する場合もある。
【００３７】
本発明は上述した一実施形態に限定されるものではなく、本発明の主旨を逸脱しない範囲内で種々変更して実施しても構わない。例えば一実施形態では、電子機器として、ノート型パーソナルコンピュータを用いた例を挙げたが、これに限らず、他の電子機器を用いてもよい。
【図面の簡単な説明】
【００３８】
【図１】本発明の一実施形態に係るパーソナルコンピュータを収めたラギダイズケースの外観を示す斜視図。
【図２】同ラギダイズケースの上ケースを外した状態を示す分解斜視図。
【図３】同ラギダイズケースからパーソナルコンピュータを外した状態を示す分解斜視図。
【図４】同ラギダイズケースからＰＣシールドケースの下側を外した状態を示す分解斜視図。
【図５】図２中のＡ−Ａ線に沿うラギダイズケースの側断面図。
【図６】同２中のＢ−Ｂ線に沿うラギダイズケースの平断面図。
【符号の説明】
【００３９】
１…ノート型ＰＣ（電子機器）、４，５，６…ケーブル，ＰＣケーブル，電源コード（配線）、１０…ＰＣシールドケース（電子機器用シールドケース）、１２…上シールドケース、１３…下シールドケース、１４…配線導出用の凹部、１６，１７…緩衝ゴム部材（防振ゴム）、２０…ラギダイズケース、２１…下ケース、２２…上ケース、２１ａ…開放部、３０…インナシールドケース（補助シールドケース）、３２…下シールドケース、３３…上シールドケース、３６…中継端子部、３８，３９，４０…信号コード，電源ケーブル（外部配線）。
【図１】
2006339313.tif 000003
【図２】
2006339313.tif 000004
【図３】
2006339313.tif 000005
【図４】
2006339313.tif 000006
【図５】
2006339313.tif 000007
【図６】
2006339313.tif 000008